(57)【要約】      （修正有）【課題】本人による個人認証情報の登録処理、認証実行時の暗証番号の入力処理を行わなくても個人認証を可能とする。【解決手段】デジタル放送受信装置は、ＩＣカードがＩＣカードスロットに挿入されたことを検出して、認証用のＩＣカードであるか否かを判断し、認証に必要なＩＣカードが挿入されたものと判断された場合には、ＩＣカードから認証サーバへのアクセスに必要な情報（例えば、ＵＲＬ）を取得し、認証サーバにＬＡＮ端子を通じてインターネット経由でＵＲＬに基づき接続する。デジタル放送受信装置は、認証に必要な情報（例えば、カード番号と電子メールアドレス）をＩＣカードから取得し、認証サーバに対して送信する。その後、認証サーバで認証処理が行われる。デジタル放送受信装置は、認証結果を認証サーバから受け取り、その結果を表示部に表示させる。【選択図】図５
2010039559.tif 000002
【特許請求の範囲】
【請求項１】
ＩＣカードリーダ機能を有するＩＣカードスロットと、インターネットを介した通信機能と、表示部と、操作部と、を備えたデジタル放送受信装置において、
ＩＣカードが前記ＩＣカードスロットに挿入されることを検出するＩＣカード検出部と、
前記ＩＣカード検出部において検出されたＩＣカードが、外部の認証サーバに個人識別子が登録され、カード番号が付与されている認証用のＩＣカードであるか否かを、前記ＩＣカードリーダにより読みとって判定する認証用カード判定部と、
前記認証用カード判定部により認証用カードであると判定されると、前記ＩＣカードから前記外部の認証サーバへアクセスするためのネットワークアドレスを取得し、該ネットワークアドレスに基づいて前記外部認証サーバに接続し、前記個人識別子と前記カード番号とを送信し、前記外部の認証サーバにおいて、前記個人識別子と前記カード番号との対応関係の有無を確認し、対応関係があれば認証可とされ対応関係がなければ認証不可とする認証結果を受け取ることで認証を行う認証処理部と
を有することを特徴とするデジタル放送受信装置。
【請求項２】
データ放送の表示画面からのメニュー表示に前記ＩＣカードのリンクボタンがある場合には、該リンクボタンを押すことでＩＣカードの挿入ガイダンス表示用のデータを放送により取得し、該ガイダンス画面におけるガイダンスに従ってＩＣカードが前記ＩＣカードスロットに挿入されることを検出する前記ＩＣカード検出部の検出処理を開始することを特徴とする請求項１に記載のデジタル放送受信装置。
【請求項３】
前記個人識別子と前記カード番号との送信に先だって、送信の可否を前記表示部に表示させることで確認を促し、前記操作部により送信可の操作を受けた場合にのみ前記個人識別子と前記カード番号との送信を行うことを特徴とする請求項１又は２に記載のデジタル放送受信装置。
【請求項４】
前記ＩＣカードスロットは、Ｂ−ＣＡＳカードスロットを兼ねていることを特徴とする請求項１から３までのいずれか１項に記載のデジタル放送受信装置。
【請求項５】
ＩＣカードリーダ機能を有するＩＣカードスロットと、インターネットを介した通信機能と、表示部と、操作部と、を備えたデジタル放送受信装置における認証方法であって
ＩＣカードが前記ＩＣカードスロットに挿入されることを検出するＩＣカード検出ステップと、
前記ＩＣカード検出ステップにおいて検出されたＩＣカードが、外部の認証サーバに個人識別子が登録され、カード番号が付与されている認証用のＩＣカードであるか否かを、前記ＩＣカードリーダにより読みとって判定する認証用カード判定ステップと、
前記認証用カード判定ステップにより認証用カードであると判定されると、前記ＩＣカードから前記外部の認証サーバへアクセスするためのネットワークアドレスを取得し、該ネットワークアドレスに基づいて前記外部認証サーバに接続し、前記個人識別子と前記カード番号とを送信し、前記外部の認証サーバにおいて、前記個人識別子と前記カード番号との対応関係の有無を確認し、対応関係があれば認証可とされ対応関係がなければ認証不可とする認証結果を受け取ることで認証を行う認証処理ステップと
を有することを特徴とする認証方法。
【請求項６】
請求項５に記載の認証方法をコンピュータに実行させるためのプログラム。
【請求項７】
請求項６に記載のプログラムを記録するコンピュータ読み取り可能な記録媒体。
【発明の詳細な説明】
【技術分野】
【０００１】
本発明は、デジタルテレビジョン受信装置に関し、特に、通信機能を有するデジタルテレビジョン受信装置とＩＣカードとを用いた認証技術に関する。
【背景技術】
【０００２】
近年、デジタルテレビジョン受信装置において双方向通信を行うことで、テレビショッピングなどが可能となってきている。例えば、特許文献１においては、通信機能を有するテレビジョン受信装置によりショッピングを行う際の個人認証システムが記載されている。このテレビジョン受信装置においては、機体ＩＤまたは内蔵ＩＣカード番号と発信電話番号による世帯認証に加えて、この世帯認証と個人ＩＤの組み合わせにより個人照合を行う。従って、指紋照合装置などの専用機器を使用することなく確実に個人照合を行うことができる。
【０００３】
【特許文献１】特許第３７８５００７号公報
【発明の開示】
【発明が解決しようとする課題】
【０００４】
しかしながら、上記特許文献１に記載のシステムにおいては、個人認証のための情報を、事前にテレビジョン受信装置から入力して認証サーバに送信する必要がある。また、認証を行う際に、個人を特定するために暗証番号などの入力が求められるため操作が煩雑になるという問題を有している。また、認証のための情報の一部をテレビジョン受信装置内に保存する必要があるため、認証処理は、認証のための情報が保存されたテレビジョン受信装置でのみ行うことができるものであった。
【０００５】
本発明は、このような状況に鑑みてなされたものであり、本人による個人認証情報の登録処理、認証実行時の暗証番号の入力処理を行わなくても個人認証を可能とすることを目的とする。
【課題を解決するための手段】
【０００６】
本発明の一観点によれば、ＩＣカードリーダ機能を有するＩＣカードスロットと、インターネットを介した通信機能と、表示部と、操作部と、を備えたデジタル放送受信装置において、ＩＣカードが前記ＩＣカードスロットに挿入されることを検出するＩＣカード検出部と、前記ＩＣカード検出部において検出されたＩＣカードが、外部の認証サーバに個人識別子（例えば、電子メールアドレスなど）が登録され、カード番号（カードに固有に付与された番号）が付与されている認証用のＩＣカードであるか否かを、前記ＩＣカードリーダにより読みとって判定する認証用カード判定部と、前記認証用カード判定部により認証用カードであると判定されると、前記ＩＣカードから前記外部の認証サーバへアクセスするためのネットワークアドレスを取得し、該ネットワークアドレスに基づいて前記外部認証サーバに接続し、前記個人識別子と前記カード番号とを送信し、前記外部の認証サーバにおいて、前記個人識別子と前記カード番号との対応関係の有無を確認し、対応関係があれば認証可とされ対応関係がなければ認証不可とする認証結果を受け取ることで認証を行う認証処理部と、を有することを特徴とするデジタル放送受信装置が提供される。これにより、本人による個人認証情報の登録処理、認証実行時の暗証番号の入力処理を行わなくても、カードを差すだけで簡単に個人認証を可能となる。個人識別子（例えば、電子メールアドレスなど）は個人を特定可能であり、一方、カード番号（カードに固有に付与された番号）はカードを特定できる。そして、外部認証サーバに対応付けがあることで、認証が可能である。
【０００７】
データ放送の表示画面からのメニュー表示に前記ＩＣカードのリンクボタンがある場合には、該リンクボタンを押すことでＩＣカードの挿入ガイダンス表示用のデータを放送により取得し、該ガイダンス画面におけるガイダンスに従ってＩＣカードが前記ＩＣカードスロットに挿入されることを検出する前記ＩＣカード検出部の検出処理を開始するようにしても良い。これにより、データ放送画面から続けて個人認証を行うことができる。
【０００８】
また、前記個人識別子と前記カード番号との送信に先だって、送信の可否を前記表示部に表示させることで確認を促し、前記操作部により送信可の操作を受けた場合にのみ前記個人識別子と前記カード番号との送信を行うことが好ましい。前記ＩＣカードスロットは、Ｂ−ＣＡＳカードスロットを兼ねていることが好ましい。
【０００９】
ＩＣカードリーダ機能を有するＩＣカードスロットと、インターネットを介した通信機能と、表示部と、操作部と、を備えたデジタル放送受信装置における認証方法であって、ＩＣカードが前記ＩＣカードスロットに挿入されることを検出するＩＣカード検出ステップと、前記ＩＣカード検出ステップにおいて検出されたＩＣカードが、外部の認証サーバに個人識別子が登録され、カード番号が付与されている認証用のＩＣカードであるか否かを、前記ＩＣカードリーダにより読みとって判定する認証用カード判定ステップと、前記認証用カード判定ステップにより認証用カードであると判定されると、前記ＩＣカードから前記外部の認証サーバへアクセスするためのネットワークアドレスを取得し、該ネットワークアドレスに基づいて前記外部認証サーバに接続し、前記個人識別子と前記カード番号とを送信し、前記外部の認証サーバにおいて、前記個人識別子と前記カード番号との対応関係の有無を確認し、対応関係があれば認証可とされ対応関係がなければ認証不可とする認証結果を受け取ることで認証を行う認証処理ステップと、を有することを特徴とする認証方法が提供される。
【００１０】
本発明は、上記に記載の認証方法をコンピュータに実行させるためのプログラムであっても良く、ガイプログラムを記録するコンピュータ読み取り可能な記録媒体であっても良い。
【発明の効果】
【００１１】
本発明によれば、本人による個人認証情報の登録処理、認証実行時の暗証番号の入力処理を行わなくても個人認証を可能となる。さらに機体や場所を選ばずに認証を行うことができるという利点がある。
【発明を実施するための最良の形態】
【００１２】
本発明の実施の形態について説明する前に、発明者の行った考察について簡単に説明する。近年、クレジットカードや住民基本台帳カードなどのＩＣカードにはＩＣチップが搭載され、大量の個人情報等を格納することができるようになっている。また、ＩＣチップは、従来の磁気テープなどに比べてセキュリティーを高めることができるようになっている。
【００１３】
ところで、上記特許文献１に記載の技術では、テレビジョン受信装置内のメモリ内に暗証番号を記憶させる仕組みとなっているため、セキュリティー面では問題があった。発明者は、デジタルテレビジョン受信装置の視聴（暗号化された放送波の復号）に必要なＢ−ＣＡＳカードとは別に、セキュリティー確保のための認証に必要な個人情報をＩＣチップに集積化したＩＣカードを利用し、このＩＣカードを、テレビジョン受信装置に設けられたＢ−ＣＡＳカードスロットに挿入できるようにし、ＩＣカードと装置との間で個人情報のやり取りを可能にすることを思い付いた。このようにすることで、個人情報を安全に処理することができ、また、テレビジョン装置内に記憶させるのではないため、テレビジョン受信装置の個体を選ばず、どのテレビジョン受信装置を用いても個人認証情報に関する処理を行うことが可能であるため便利である。
【００１４】
以下に、本発明の一実施の形態によるデジタルテレビジョン受信装置及びそれを用いた認証技術について図面を参照しながら説明を行う。図１は、本発明の一実施の形態によるデジタルテレビジョン受信装置の構成の一例を示す機能ブロック図である。図１に示すように、デジタルテレビジョン受信装置は、アンテナ１、受信部２、表示制御部３、表示部（表示パネル）４、主制御部（ＣＰＵ）５、ＬＡＮ端子（外部端子）６、ＩＣカードスロット７、リモコン受光部８、を有している。受信部２は、選局部２１と、復調部２２と、分離部２３と、映像デコーダ２４、音声デコーダ２５、データデコーダ２６と、を有している。主制御部５は、記憶部５ａを含んでいるが、記憶部は別途設けられていても良い。表示制御部３は、主制御部５の指示により、デコードされたデータを表示パネル４に表示するための制御を行う。ＩＣカードスロット７にはＩＣカード内の情報を読み書きするＩＣカードリーダ／ライタ７ａが設けられ、ＩＣカード３７をＩＣカードスロット７に挿入すると、ＩＣチップ内に格納されている情報を読み出したり、テレビジョン受信装置が取得した情報を書き込んだりすることができる。ＩＣカード３７から読み出した情報は、記憶部５ａに一時的に記憶しておくことができる。また、外部のリモコン装置９により、リモコン受光部８を介してデジタルテレビジョン受信装置の遠隔操作を行うことができる。さらに、ＬＡＮ端子６からＬＡＮケーブルによりネットワークＮＴを介して例えば認証サーバなどの外部サーバＳにアクセスし、外部サーバＳ内の情報を参照したり取得したりすることができる。
【００１５】
図２Ａは、ＩＣカード３７のＩＣチップ内に記憶されている情報の一例を示す図である。図２Ａに示すように、個人情報を含む個人認証領域４１と、ＩＣカードを発行した例えば地方自治体などの発行者情報領域４３と、固有のカード番号などのカードをユニークに特定する認証部４５と、を有している。個人認証領域４１には、例えば、個人名と電子メールのアドレスと、が記憶されている。発行者領域４３には、発行所名（例えば、○○市役所など）、そのＵＲＬ、発行責任者名（例えば、○○市長）が記憶されている。認証部４５は、認証のためのカード番号が格納されている。
【００１６】
図２Ｂは、外部サーバＳが有している認証用の認証テーブルの一例を示す図である。図２Ｂに示すように、認証テーブルには、カード番号５１と、個人識別番号５３（ここでは、メールアドレス）と、が対応付けされている。
【００１７】
図３は、本実施の形態によるテレビジョン受信装置における認証処理の流れの一例を示すフローチャート図である。図４は、本実施の形態による認証処理の流れに沿った表示画面の遷移の様子を示す図であり、放送中のデータ放送サービスを表している。（１）に示すように、この画面３１においては、例えば映像表示３１ａと、文字データ表示３１ｂと、メニュー表示３１ｃとが表示されている。メニュー中にはＩＣカード名のボタンＬ３１がある。ここで、ステップＳ２１に示すようにユーザによるリンクボタンＬ３１のクリックを検出すると、ステップＳ２２に示すように、受信装置は、ＬＡＮ端子６、ＬＡＮケーブルを介してネットワーク経由で外部の認証サーバＳにアクセスし、図４の（２）の表示画面３２が表示される。すなわち、テレビジョン受信装置は、ステップＳ２３において、認証サーバＳからインターネット経由でデータを取得し、主制御部５においてデータの内容を解析する。次いで、ステップＳ２４において、ＩＣカードがＢ−ＣＡＳカードから認証に必要なＩＣカードに交換されているか否かを確認する。ここで、タイトル名として、「□□ＩＣカードのカードテレビサービス」との表示３２ａが、「□□ＩＣカードをテレビのＩＣカードスロットに挿入して下さい。」とのユーザへの操作ガイダンス３２ｂと、任意に「□□ＩＣカードからのお知らせ」３２ｃが表示される。尚、カードスロット内のＢ−ＣＡＳカードを抜き取られ、ＩＣカードが挿入されていた場合には、（すでにＩＣカードを交換していた場合には）、画面３２は表示されない。ステップ２４において、ＩＣカードが交換されていれば（Ｙｅｓ）、受信装置は画面３３を表示し、ＩＣカードの情報を認証サーバＳに送信する旨の表示を行うことでユーザの同意を促す。すなわち、□□カードテレビサービスとのタイトル表示３３ａと、「□□カードの情報を送信します。よろしいですか？」との確認を促す表示３３ｂと、「はい」、「いいえ」ボタン表示３３ｃと、を行う。ここで、「はい」のボタンは、リンクＬ３２となっており、このリンクＬ３２のクリック操作が検出されると、ステップＳ２５において受信装置はＩＣカードから取得した情報を認証サーバＳに送信し、ステップＳ２６において、認証サーバからの認証結果（返信）を取得する。認証に成功した結果として（４）の画面３４に示すように、タイトル表示３４ａと、例えば、ショッピングの個人認証であれば、クレジットカードがＩＣカードに対応するため、クレジットカードの使用履歴、ポイント情報、ポイントの交換、サービス一覧、ヘルプなどのボタン３４ｂと、ボタン３４ｂを押した結果の表示３４ｃと、が表示される。表示３４ｃは、ショッピングに関するお勧めでも良く、また、実際のインターネットショッピングへの入り口ボタンが表示され、それを押すことでインターネットショッピングができるようにしても良い。
【００１８】
ステップＳ２４でＩＣカードが交換されていなかった場合には、ステップＳ２７においてＩＣカードの交換を促すメッセージを表示する。受信装置は、ステップＳ２８において、ユーザがＩＣカードを交換した旨を検出すると、ステップＳ２４に戻り、ここでＩＣカードが認証に必要なＩＣカードであるか否かを確認する処理を行う。
【００１９】
認証に必要なＩＣカードであることが確認されると、ステップＳ２５において、認証に必要なデータをＩＣカードから取得し、認証サーバＳへ送信する。認証に必要なデータとは、例えば、図２Ａ、図２Ｂのカード番号とメールアドレスである。カード番号とメールアドレスとが、認証サーバＳに記憶されている認証テーブルの対応付けと一致していれば認証に成功したことになる。尚、ステップＳ２５で使用されるＩＣカードは、認証機関が発行するものであり、図２Ｂに示すように、事前にＩＣカードの情報は認証機関に登録されているものである。
【００２０】
以上に説明したように、本実施の形態によるテレビジョン受信装置による認証技術を用いると、本人による個人認証情報の登録処理、認証実行時の暗証番号の入力処理を行わずに簡単に個人認証が可能となる。さらに、テレビジョン受信装置の機体や場所を選ばずに、デジタルテレビジョン受信装置に備わっているＢ−ＣＡＳカードスロットさえあれば、ＩＣカードにおける認証処理を簡単に行うことができる。
【００２１】
次に、本発明の第２の実施の形態によるテレビジョン受信装置による認証技術について図面を参照しながら説明を行う。本実施の形態においては、認証処理の流れは、図４の画面３３と画面３４のみで完了し、画面３１、３２に関する処理は行われない。すなわち、画面３３においてリンクボタンＬ３２を押して（クリックして）情報の送信に同意するだけで、認証の操作が完了するものである。
【００２２】
図５は、本実施の形態による認証処理の流れを示すフローチャート図である。図５に示すように、まず、ステップＳ４１において、認証に必要なＩＣカードがテレビジョン受信装置のＩＣカードスロット７に挿入されたことを検出すると、ステップＳ４２において、ＩＣカードは認証用のＩＣカードであるか否かを判断する。例えば、図２Ａの認識部４５内にカード番号が格納されていれば、ＩＣカードは認証用のＩＣカードであると主制御部が判断する。ここで、認証に必要なＩＣカードではないと判断すると（Ｎｏ）、ステップＳ４７に進み、認証は不要であるため認証に関する処理を終了し、例えば、放送を視聴するための処理を開始するか電源をオフする。
【００２３】
ステップＳ４２において、認証に必要なＩＣカードが挿入されたものと判断された場合には（ｙｅｓ）、ステップＳ４３において、ＩＣカードから認証サーバＳへのアクセスに必要な情報（例えば、図２ＡのＵＲＬ）を取得する。次いで、ステップＳ４４において、ステップＳ４３で得られた認証サーバＳにＬＡＮ端子６を通じてインターネット経由でＵＲＬに基づき接続する。認証サーバＳへの接続が完了すると、ステップＳ４５において、デジタル放送受信装置は、認証に必要な情報（例えば、カード番号と電子メールアドレス）をＩＣカードから取得し、認証サーバＳに対して送信する。その後、認証サーバＳにおいて認証サーバＳで認証処理が行われる。例えば、ステップＳ４６で、図２Ｂに示すように、送られてきたカード番号と電子メールアドレスとが対応関係にあると認証ＯＫとなり、対応関係にない場合には認証ＮＧとなる。これらの認証結果を認証サーバＳから受け取り、その結果を表示部に表示させる。
【００２４】
このように、本実施の形態においては、テレビジョン受信装置は、認証に必要となるＩＣカードがＢ−ＣＡＳカードの代わりに挿入されたことを検出すると、ＩＣカード内の情報を外部の認証サーバに自動的に送信するように構成されている。従って、少ない処理により、認証の操作が完了することができるため、認証処理が大幅に簡便化される。また、ＩＣカードのみで認証を行うことができるため、個体や場所を選ばずに認証が可能になる。ＩＣカードスロット（特にＢ−ＣＡＳスロット）を有していれば、情報処理装置などでも適用可能である。
【００２５】
（まとめ）
本発明の実施の形態による認証技術によれば、ＩＣカードリーダとインターネットを介した通信機能とを持つデジタル放送受信機において、情報があらかじめサーバに登録された、認証に必要なＩＣカードを発行してもらうことにより、当該ＩＣカードを挿入する操作のみで、従来に比べ簡便な処理により個人の認証を行うことが可能になる。また、認証処理において必要となるのはＩＣカードのみであるため、ＩＣカードリーダとインターネットを介した通信機能を持った一般的なデジタル放送受信機であれば、いつでも、どこでも、個人の認証を行うことが可能になるという利点がある。
【００２６】
尚、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。例えば、個人認証の目的は、インターネットショッピングの他に、各種証明書の役所などからの発行処理など種々の重要な処理における認証に利用することができる。
【００２７】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００２８】
また、「コンピュータシステム」は、ＷＷＷシステムを利用している場合であれば、ホームページ提供環境（あるいは表示環境）も含むものとする。
【００２９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００３０】
本発明は、デジタルテレビジョン受信装置を利用した認証技術に利用可能である。
【図面の簡単な説明】
【００３１】
【図１】本発明の一実施の形態によるデジタル放送受信装置の一構成例を示す機能ブロック図である。
【図２Ａ】本実施の形態によるＩＣカード内に格納されるデータ構成例を示す図である。
【図２Ｂ】外部認証サーバにおける認証用の対応テーブルの一例を示す図である。
【図３】本発明の第１の実施の形態による認証処理の流れを示すフローチャート図である。
【図４】図３に対応する表示画面例を示す遷移図である。
【図５】本発明の第２の実施の形態による認証処理の流れを示すフローチャート図である。
【符号の説明】
【００３２】
１  アンテナ部
２  受信部
３  表示制御部
４  表示パネル
５  主制御部
６  ＬＡＮ端子
７  ＩＣカードソケット
８  リモコン受光部
９  リモコン
２１  選局部
２２  復調部
２３  分離部
２４  映像デコーダ
２５  音声デコーダ
２６  データデコーダ
Ｓ  外部認証サーバ
ＮＴ  ネットワーク
【図１】
2010039559.tif 000003
【図２Ａ】
2010039559.tif 000004
【図２Ｂ】
2010039559.tif 000005
【図３】
2010039559.tif 000006
【図４】
2010039559.tif 000007
【図５】
2010039559.tif 000008